(57)【要約】【課題】人の手や障害物などの物体が近接していることを検知可能で、且つ状態表示機能やイルミネーション機能を兼ね備える電子機器、及び電子機器の制御方法を提供する。【解決手段】電子機器を、視認可能な位置に配置されて、それぞれＬＥＤ光を放射する複数の発光ダイオードと、複数の発光ダイオードの少なくとも一部の発光ダイオードについて、発光状態と受光状態とを切り換えて駆動する発光ダイオード駆動手段と、発光ダイオード駆動手段により受光状態に設定された発光ダイオードからの出力に基づいて、複数の発光ダイオードに対して物体が近接しているか否かを判定する近接判定手段と、から構成する。【選択図】図８
2016173385.tif 000002
【特許請求の範囲】
【請求項１】
視認可能な位置に配置されて、それぞれＬＥＤ光を放射する複数の発光ダイオードと、
前記複数の発光ダイオードの少なくとも一部の発光ダイオードについて、発光状態と受光状態とを切り換えて駆動する発光ダイオード駆動手段と、
前記発光ダイオード駆動手段により受光状態に設定された前記発光ダイオードからの出力に基づいて、前記複数の発光ダイオードに対して物体が近接しているか否かを判定する近接判定手段と、を備える、
電子機器。
【請求項２】
前記近接判定手段は、前記発光ダイオードに対して前記物体が近接しているか否かを判定すると共に、前記受光状態に設定された複数の前記発光ダイオードにおける検出結果の連続性に基づいて該物体の近接状態を判定する、
請求項１に記載の電子機器。
【請求項３】
前記近接判定手段は、前記受光状態に設定されている複数の前記発光ダイオードのうち、前記物体が近接していると判定した発光ダイオードが連続する範囲の大きさが所定値以上である場合に、前記物体が前記複数の発光ダイオードに対して所定の状態で近接していると判定する、
請求項２に記載の電子機器。
【請求項４】
所定の撮影方向の被写体を撮影する撮影部と、
押下されることにより前記撮影部に撮影を実行させる操作部と、を更に備え、
前記複数の発光ダイオードは、前記操作部の近傍に、該操作部の押下方向に並べて配置される、
請求項１から請求項３の何れか一項に記載の電子機器。
【請求項５】
前記電子機器の被写体側に突出したグリップ部を更に備え、
前記複数の発光ダイオードは、前記グリップ部の被写体側に配置される、
請求項４に記載の電子機器。
【請求項６】
前記発光ダイオード駆動手段は、前記押下方向に並んで配置される発光ダイオードのうち、複数の発光ダイオードを受光状態に設定し、
前記近接判定手段は、
前記所定方向において、前記物体が近接していると判定した発光ダイオードが連続する長さを取得し、
前記取得した長さが所定長以上である場合に、前記撮影方向が前記電子機器の使用者側を向いていないと判定し、
前記取得した長さが前記所定長未満である場合に、前記撮影方向が前記電子機器の使用者側を向いていると判定する、
請求項４又は請求項５に記載の電子機器。
【請求項７】
前記近接判定手段は、
前記発光ダイオードに前記物体が近接していると判定している状態の時間変化を取得し、
前記取得した時間変化が、予め登録された変化パターンに合致するか否かを判定する、
請求項１から請求項３の何れか一項に記載の電子機器。
【請求項８】
前記複数の発光ダイオードは、前記電子機器の所定の面上に二次元的に並べて配置され、
前記近接判定手段は、
前記所定の面上における、前記物体が近接していると判定された発光ダイオードの分布を取得し、
前記取得した分布が、予め登録されている分布に合致するか否かを判定する、
請求項１から請求項３の何れか一項に記載の電子機器。
【請求項９】
前記近接判定手段は、
前記所定の面上における、前記物体が近接していると判定された発光ダイオードの分布の時間変化を取得し、
前記取得した分布の時間変化が、予め登録された分布変化パターンに合致するか否かを判定する、
請求項８に記載の電子機器。
【請求項１０】
前記電子機器の動作モードを設定するモード設定手段を更に備え、
前記動作モード設定手段は、
前記近接判定手段による判定結果に基づいて前記動作モードを変化させる、
請求項１から請求項９の何れか一項に記載の電子機器。
【請求項１１】
前記発光ダイオード駆動手段は、
前記近接判定手段による判定結果に基づいて、前記複数の発光ダイオードの発光パターンを発光状態と受光状態との間で切り替える、
請求項１から請求項１０の何れか一項に記載の電子機器。
【請求項１２】
前記発光ダイオード駆動手段は、
前記近接判定手段による判定結果に基づいて、前記発光状態に設定されている発光ダイオードの発光パターンを変化させる、
請求項１から請求項１１の何れか一項に記載の電子機器。
【請求項１３】
前記複数の発光ダイオードは、
第１の波長帯域のＬＥＤ光を放射する第１の発光ダイオードと、
前記第１の波長帯域を含まない第２の波長帯域のＬＥＤ光を放射する第２の発光ダイオードと、を含み、
前記発光ダイオード駆動手段は、
少なくとも一つの前記第１の発光ダイオード及び少なくとも一つの前記第２の発光ダイオードを受光状態に設定し、
前記近接判定手段は、
前記受光状態に設定されている第１の発光ダイオード及び第２の発光ダイオードからの出力に基づいて、前記複数の発光ダイオードに対して人体が近接しているか否か、及び、人体以外の物体が近接しているか否かを判定する、
請求項１から請求項１２の何れか一項に記載の電子機器。
【請求項１４】
前記第１の波長帯域のＬＥＤ光は、近赤外光を含むものであり、
前記第２の波長帯域のＬＥＤ光は、可視光である、
請求項１３に記載の電子機器。
【請求項１５】
前記複数の発光ダイオードはそれぞれ、
ＬＥＤ光を放射する発光部を有し、
前記物体が接近した時に、発光状態に設定されている発光ダイオードから放射され該物体で反射されたＬＥＤ光が、該発光状態に設定されている発光ダイオードの周囲に配置されている受光状態に設定されている発光ダイオードで受光できるように、前記発光部の前方に間隙部を有する、
請求項１から請求項１４の何れか一項に記載の電子機器。
【請求項１６】
前記間隙部は、前記ＬＥＤ光を透過させるパネルによって設定されている、
請求項１５に記載の電子機器。
【請求項１７】
前記間隙部は、前記電子機器の表面に形成された凹部である、
請求項１５に記載の電子機器。
【請求項１８】
前記複数の発光ダイオードは、隣り合う２つの発光ダイオードの間に、一方の発光ダイオードから放射されたＬＥＤ光が他方の発光ダイオードに直接入射しないようにＬＥＤ光を遮光する遮光部を有する、
請求項１から請求項１７の何れか一項に記載の電子機器。
【請求項１９】
視認可能な位置に配置されて、それぞれＬＥＤ光を放射する複数の発光ダイオードを備える電子機器の制御方法であって、
前記複数の発光ダイオードの少なくとも一部の発光ダイオードについて、発光状態と受光状態とを切り換えて駆動する発光ダイオード駆動ステップと、
前記発光ダイオード駆動ステップにおいて受光状態に設定された前記発光ダイオードからの出力に基づいて、前記複数の発光ダイオードに対して物体が近接しているか否かを判定する近接判定ステップと、を含む、
制御方法。
【発明の詳細な説明】
【技術分野】
【０００１】
本発明は、電子機器及び電子機器の制御方法に関する。
【背景技術】
【０００２】
電子機器には、撮影装置など、使用者が手で保持しながら操作を行うものがある。この種の電子機器には、誤作動を防止するために、使用者によって保持されているか否かを検知するものがある。
【０００３】
特許文献１には、使用者によってハンドルが正常に把持されているか否かを検出する把持検知装置が記載されている。特許文献１に記載の把持検知装置では、ハンドルの一端に発光部と受光部を有する光電センサが配置され、ハンドルの他端には発光部から出射された光を遮蔽する遮蔽部を備えている。使用者がハンドルを把持している場合は、発光部から出射された光は、使用者の手で反射されて受光部で検知される。また、使用者がハンドルを把持していない場合は、発光部から出射された光は、遮蔽部で受光部とは異なる側に反射される。これにより、受光部による光の検知の有無によって、ハンドルが把持されているか否かを検知することができる。
【０００４】
また、特許文献２には、２つのＬＥＤを有するＬＥＤユニットの検査方法が開示されている。特許文献２の検査方法では、一方のＬＥＤを点灯状態とし、他方のＬＥＤを、前記
一方のＬＥＤから放射されたＬＥＤ光を検知する受光状態とすることにより、前記一方のＬＥＤの点灯状態を確認することができる。
【先行技術文献】
【特許文献】
【０００５】
【特許文献１】特開２００９−４０３７５号公報
【特許文献２】特開２０１０−２３０５６８号公報
【発明の概要】
【発明が解決しようとする課題】
【０００６】
ところで、特許文献１における光電センサはハンドルが把持されているか否かの検知のみに使用されていた。なお、特許文献２には、ＬＥＤを受光状態とすることが記載されているが、これは、ＬＥＤを他のＬＥＤの検査に使用することを述べているに過ぎない。
【０００７】
本発明は上記の事情に鑑みてなされたものであり、その目的とするところは、人の手や障害物などの物体が近接していることを検知可能で、且つ状態表示機能やイルミネーション機能を兼ね備える電子機器及び電子機器の制御方法を提供することにある。
【課題を解決するための手段】
【０００８】
上記の課題を解決する本発明の実施形態の電子機器は、視認可能な位置に配置されて、それぞれＬＥＤ光を放射する複数の発光ダイオードと、複数の発光ダイオードの少なくとも一部の発光ダイオードについて、発光状態と受光状態とを切り換えて駆動する発光ダイオード駆動手段と、発光ダイオード駆動手段により受光状態に設定された発光ダイオードからの出力に基づいて、複数の発光ダイオードに対して物体が近接しているか否かを判定する近接判定手段と、を備える。
【０００９】
このような構成によれば、発光ダイオードによって物体が近接しているか否かを判定することができる。この判定結果に基づいて、電子機器が使用者によって把持されているか否か、人の手以外の障害物が近接して配置されているか否か等を判定することができる。また、発光ダイオードを発光させることにより、電子機器に状態表示機能やイルミネーション機能を持たせることができる。
【００１０】
また、近接判定手段は、発光ダイオードに対して物体が近接しているか否かを判定すると共に、受光状態に設定された複数の発光ダイオードにおける検出結果の連続性に基づいて物体の近接状態を判定してもよい。
【００１１】
このような構成によれば、複数の発光ダイオードに物体が近接している場合に、その物体の大きさや形状等を判定することができる。これにより、例えば、使用者が電子機器を把持している場合に、手全体を使用して把持しているのか、特定の指を使って把持しているのか等、どのように把持しているのかを判定することができる。
【００１２】
また、近接判定手段は、受光状態に設定されている複数の発光ダイオードのうち、物体が近接していると判定した発光ダイオードが連続する範囲の大きさが所定値以上である場合に、物体が複数の発光ダイオードに対して所定の状態で近接していると判定してもよい。
【００１３】
このような構成によれば、使用者が電子機器を把持している場合に、手全体を使用して把持しているのか、特定の指を使って把持しているのか等、どのように把持しているのかを判定することができる。
【００１４】
また、電子機器は、所定の撮影方向の被写体を撮影する撮影部と、押下されることにより撮影部に撮影を実行させる操作部と、を更に備えてもよい。この場合、複数の発光ダイオードは、操作部の近傍に、操作部の押下方向に並べて配置される。
【００１５】
このような構成によれば、使用者が機器を把持ながら操作部を操作して撮影を行うことを想定した電子機器（撮影装置）において、使用者が機器を把持しているのか否かを判定することができる。
【００１６】
また、電子機器は、電子機器の被写体側に突出したグリップ部を更に備えてもよい。この場合、複数の発光ダイオードは、グリップ部の被写体側に配置される。
【００１７】
このような構成によれば、使用者が把持することを想定したグリップ部に、把持を検知する発光ダイオードを配置することにより、確実に使用者による把持を検知することができる。また、発光ダイオードによる状態表示やイルミネーションを被写体側から確認することができる。
【００１８】
また、発光ダイオード駆動手段は、押下方向に並んで配置される発光ダイオードのうち、複数の発光ダイオードを受光状態に設定してもよい。この場合、近接判定手段は、所定方向において、物体が近接していると判定した発光ダイオードが連続する長さを取得し、取得した長さが所定長以上である場合に、撮影方向が電子機器の使用者側を向いていないと判定し、取得した長さが所定長未満である場合に、撮影方向が電子機器の使用者側を向いていると判定する。
【００１９】
このような構成によれば、使用者が電子機器を被写体側とその反対側とのどちらの方向から把持しているのかを判定することができる。
【００２０】
また、近接判定手段は、発光ダイオードに物体が近接していると判定している状態の時間変化を取得し、取得した時間変化が、予め登録された変化パターンに合致するか否かを判定してもよい。
【００２１】
このような構成によれば、発光ダイオードによる検知結果に基づいて電子機器の操作を行うことができる。
【００２２】
また、複数の発光ダイオードは、電子機器の所定の面上に二次元的に並べて配置されてもよい。この場合、近接判定手段は、所定の面上における、物体が近接していると判定された発光ダイオードの分布を取得し、取得した分布が、予め登録されている分布に合致するか否かを判定する。
【００２３】
このような構成によれば、電子機器が把持されているか否かを二次元的に判定するため、判定を正確に行うことができる。また、電子機器がどのように把持しているのかに応じた分布を予め登録しておき、測定結果と登録されている分布を比較することにより、電子機器がどのように把持されているのかを判定することができる。
【００２４】
また、近接判定手段は、所定の面上における、物体が近接していると判定された発光ダイオードの分布の時間変化を取得し、取得した分布の時間変化が、予め登録された分布変化パターンに合致するか否かを判定してもよい。
【００２５】
このような構成によれば、複数の発光ダイオードに対するタップ操作やフリック操作により、電子機の操作を行うことができる。
【００２６】
また、電子機器は、電子機器の動作モードを設定するモード設定手段を更に備えてもよい。この場合、動作モード設定手段は、近接判定手段による判定結果に基づいて動作モードを変化させる。
【００２７】
このような構成によれば、電子機器が物体と近接しているか否かの判定結果に基づいて、電子機器の動作モードを自動で切り替えることができる。
【００２８】
また、発光ダイオード駆動手段は、近接判定手段による判定結果に基づいて、複数の発光ダイオードの発光パターンを発光状態と受光状態との間で切り替えてもよい。
【００２９】
発光ダイオード駆動手段は、近接判定手段による判定結果に基づいて、発光状態に設定されている発光ダイオードの発光パターンを変化させる、請求項１から請求項１０の何れか一項に記載の電子機器。
【００３０】
このような構成によれば、電子機器の使用者は、発光パターンを見ることにより、電子機器の状態を把握することができる。
【００３１】
また、複数の発光ダイオードは、第１の波長帯域のＬＥＤ光を放射する第１の発光ダイオードと、第１の波長帯域を含まない第２の波長帯域のＬＥＤ光を放射する第２の発光ダイオードと、を含んでもよい。この場合、発光ダイオード駆動手段は、少なくとも一つの第１の発光ダイオード及び少なくとも一つの第２の発光ダイオードを受光状態に設定し、近接判定手段は、受光状態に設定されている第１の発光ダイオード及び第２の発光ダイオードからの出力に基づいて、複数の発光ダイオードに対して人体が近接しているか否か、及び、人体以外の物体が近接しているか否かを判定する。
【００３２】
このような構成によれば、電子機器が人の手によって把持されているのか否かを判定することができる。
【００３３】
また、第１の波長帯域のＬＥＤ光は、近赤外光を含むものであり、第２の波長帯域のＬＥＤ光は、可視光であってもよい。
【００３４】
このような構成によれば、人の手の反射率が近赤外領域で低くなることを利用して、複数の発光ダイオードに人の手が近接しているのか否かを判定することができる。
【００３５】
また、複数の発光ダイオードはそれぞれ、ＬＥＤ光を放射する発光部を有し、物体が接近した時に、発光状態に設定されている発光ダイオードから放射され物体で反射されたＬＥＤ光が、発光状態に設定されている発光ダイオードの周囲に配置されている受光状態に設定されている発光ダイオードで受光できるように、発光部の前方に間隙部を有してもよい。
【００３６】
このような構成によれば、物体が複数の発光ダイオードに近接して配置されている場合においても、受光状態に設定されている発光ダイオードで確実にＬＥＤ光を受光することができる。これにより、物体の近接を確実に判定することができる。
【００３７】
また、間隙部は、ＬＥＤ光を透過させるパネルによって設定されていてもよい。
【００３８】
また、間隙部は、電子機器の表面に形成された凹部であってもよい。
【００３９】
また、複数の発光ダイオードは、隣り合う２つの発光ダイオードの間に、一方の発光ダイオードから放射されたＬＥＤ光が他方の発光ダイオードに直接入射しないようにＬＥＤ光を遮光する遮光部を有してもよい。
【００４０】
このような構成によれば、物体が複数の発光ダイオードに近接して配置されていないにも拘らず、物体が近接して配置されていると誤って判定されることを防止できる。
【００４１】
上記の課題を解決する本発明の実施形態の制御方法は、視認可能な位置に配置されて、それぞれＬＥＤ光を放射する複数の発光ダイオードを備える電子機器の制御方法であって、複数の発光ダイオードの少なくとも一部の発光ダイオードについて、発光状態と受光状態とを切り換えて駆動する発光ダイオード駆動ステップと、発光ダイオード駆動ステップにおいて受光状態に設定された発光ダイオードからの出力に基づいて、複数の発光ダイオードに対して物体が近接しているか否かを判定する近接判定ステップと、を含む。
【発明の効果】
【００４２】
本発明の実施形態によれば、人の手や障害物などの物体が近接していることを検知可能で、且つ状態表示機能やイルミネーション機能を兼ね備える電子機器及び電子機器の制御方法が提供される。
【図面の簡単な説明】
【００４３】
【図１】本発明の実施形態にかかる撮影装置の構成を示すブロック図である。
【図２】本発明の実施形態にかかるカメラ本体部の正面図である。
【図３】本発明の実施形態にかかるカメラ本体部の上面図である。
【図４】本発明の実施形態にかかるカメラ本体部の背面図である。
【図５】本発明の実施形態にかかるカメラ本体部の斜視図である。
【図６】本発明の実施形態にかかるグリップの断面図である。
【図７】本発明の実施形態にかかるＬＥＤ駆動制御部を説明するためのである。
【図８】本発明の実施形態にかかるグリップの断面図である。
【図９】本発明の実施形態にかかるＬＥＤ光を用いたイルミネーション機能及びグリップ把持検知機能の制御に関するフローチャートである。
【図１０】本発明の実施形態にかかるグリップの断面図である。
【図１１】本発明の実施形態にかかるグリップの断面図である。
【図１２】本発明の実施形態の変形例１にかかるグリップを説明するための図である。
【図１３】本発明の実施形態の変形例１にかかるグリップの断面図である。
【図１４】本発明の実施形態の変形例２にかかる情報報知部の上面図である。
【図１５】本発明の実施形態の変形例２にかかる情報報知部の断面図である。
【図１６】本発明の実施形態の変形例２にかかる情報報知部の上面図である。
【図１７】本発明の実施形態の変形例３にかかるグリップの断面図である。
【図１８】本発明の実施形態の変形例３にかかるグリップを説明するための図である。
【発明を実施するための形態】
【００４４】
以下、本発明の実施形態の電子機器について図面を参照しながら説明する。以下においては、本発明の一実施形態として、デジタル一眼レフカメラについて説明する。なお、電子機器は、デジタル一眼レフカメラに限らず、例えば、コンパクトデジタルカメラ、ミラーレス一眼カメラ、ビデオカメラ、カムコーダ、タブレット端末、スマートフォン、ＰＨＳ（Personal Handy phone System）、フィーチャフォン、携帯ゲーム機などの撮影機能を有する装置や、使用者が手で保持又は把持して使用する別の形態の装置に置き換えてもよい。
【００４５】
図１は、本実施形態のデジタル一眼レフカメラ（以下、「撮影装置」と記す。）１の構成を示すブロック図である。図１に示されるように、撮影装置１は、カメラ本体部１０及びカメラ本体部１０に着脱可能に装着される交換レンズ２０を備えている。
【００４６】
カメラ本体部１０は、システムコントローラ１００、操作部１０２、駆動回路１０４、情報報知部１０８、シャッタ１１０、固体撮像素子１１２、信号処理回路１１４、画像処理エンジン１１６、バッファメモリ１１８、カード用インタフェース１２０、ＬＣＤ（Liquid Crystal Display）制御回路１２２、ＬＣＤ１２４及びＲＯＭ（Read Only Memory）１２６を備えている。交換レンズ２０は、撮影レンズ２００及び絞り２０２を備えている。なお、撮影レンズ２００は複数枚構成であるが、図１においては便宜上一枚のレンズとして示す。
【００４７】
操作部１０２には、電源スイッチやレリーズスイッチ、撮影モードスイッチなど、撮影装置１の使用者（撮影者）が撮影装置１を操作するために必要な各種スイッチが含まれる。撮影者により電源スイッチが操作されると、図示省略されたバッテリから撮影装置１の各種回路に電源ラインを通じて電源供給が行われる。
【００４８】
システムコントローラ１００は、ＣＰＵ（Central Processing Unit）及びＤＳＰ（Digital Signal Processor）を含む。システムコントローラ１００は電源供給後、ＲＯＭ１２６にアクセスして制御プログラムを読み出してワークエリア（不図示）にロードし、ロードされた制御プログラムを実行することにより、撮影装置１全体の制御を行う。
【００４９】
レリーズスイッチが操作されると、システムコントローラ１００は、例えば、固体撮像素子１１２により撮像されたライブビュー（後述）から計算された測光値や、撮影装置１に内蔵された露出計（不図示）で測定された測光値に基づき適正露出が得られるように、駆動回路１０４を介して絞り２０２及びシャッタ１１０を駆動制御する。より詳細には、絞り２０２及びシャッタ１１０の駆動制御は、プログラムＡＥ（Automatic Exposure）、シャッタ優先ＡＥ、絞り優先ＡＥなど、撮影モードスイッチにより指定されるＡＥ機能に基づいて行われる。また、システムコントローラ１００はＡＥ制御と併せてＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。システムコントローラ１００は、ＡＦ結果に基づいて駆動回路１０４を介して撮影レンズ２００を駆動制御し、撮影レンズ２００の焦点を調整する。なお、この種のＡＥ及びＡＦの構成及び制御については周知であるため、ここでの詳細な説明は省略する。
【００５０】
被写体からの光束は、撮影レンズ２００、絞り２０２、シャッタ１１０を通過して固体撮像素子１１２の受光面により受光される。固体撮像素子１１２は、ベイヤ型画素配置を有する単板式カラーＣＣＤ（Charge Coupled Device）イメージセンサである。固体撮像素子１１２は、受光面上の各画素で結像した光学像を光量に応じた電荷として蓄積して、Ｒ（Red）、Ｇ（Green）、Ｂ（Blue）の画像信号を生成して出力する。なお、固体撮像素子１１２は、ＣＣＤイメージセンサに限らず、ＣＭＯＳ（Complementary Metal Oxide Semiconductor）イメージセンサやその他の種類の撮像装置に置き換えられてもよい。固体撮像素子１１２はまた、補色系フィルタを搭載したものであってもよい。
【００５１】
信号処理回路１１４は、固体撮像素子１１２より入力される画像信号に対してクランプ、デモザイク等の所定の信号処理を施して、画像処理エンジン１１６に出力する。画像処理エンジン１１６は、信号処理回路１１４より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像の保存形式は、ＪＰＥＧ形式に限らず、最小限の画像処理（例えば、画像領域の黒レベルの補正処理等）しか施されないＲＡＷ形式であってもよい。
【００５２】
カード用インタフェース１２０のカードスロットには、メモリカード３００が着脱可能に差し込まれている。画像処理エンジン１１６は、カード用インタフェース１２０を介してメモリカード３００と通信可能である。画像処理エンジン１１６は、生成された圧縮画像信号（撮影画像データ）をメモリカード３００（又は撮影装置１に備えられる不図示の内蔵メモリ）に保存する。
【００５３】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。撮影者は、ＡＥ制御及びＡＦ制御に基づいて適正な露出及びピントで撮影されたリアルタイムのスルー画（ライブビュー）を、ＬＣＤ１２４の表示画面を通じて視認することができる。
【００５４】
画像処理エンジン１１６は、撮影者により撮影画像の再生操作が行われると、操作により指定された撮影画像データをメモリカード３００又は内蔵メモリ（不図示）より読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、撮影画像がＬＣＤ１２４の表示画面に表示される。
【００５５】
情報報知部１０８は、後述する複数の発光ダイオード（ＬＥＤ：Light Emitting Diode）を備えている。本実施形態の撮影装置１においては、ＬＥＤを発光させることにより、イルミネーション機能や撮影装置１の状態表示機能が提供される。
【００５６】
図２〜図５はそれぞれ、カメラ本体部１０の正面図、上面図、背面図、斜視図を示す。なお、説明の便宜上、図３（カメラ本体部１０の上面図）に、カメラ本体部１０に装着された交換レンズ２０の概略的な輪郭を一点鎖線にて示す。
【００５７】
情報報知部１０８は、複数のＬＥＤ３０（本実施形態では８つ）を備えている（例えば図２中、破線参照）。ＬＥＤ３０は、筐体１０ａの前面の中で被写体側に突出した所定の突出領域に配置されている。カメラ本体部１０には、交換レンズ２０が着脱可能に装着されるマウント部１２が備えられている。筐体１０ａには、マウント部１２を取り囲うマウント周辺部１３が形成されている。ＬＥＤ３０が配置される突出領域は、マウント周辺部１３を挟んでマウント部１２から離れて位置する。具体的には、複数のＬＥＤ３０は、図２等に示されるように、筐体１０ａに形成されたグリップ１１の前面１１ａに上下方向（グリップ１１の長手方向）に一列に等ピッチで並べて配置されており、且つ前面１１ａの中でもマウント部１２から離れた位置に寄せて配置されている。
【００５８】
以下では、撮影装置１のマウント部１２やマウント周辺部１３が設けられている側を前方、ＬＣＤ１２４が設けられている側を後方と定義する。また、撮影装置１のグリップ１１が設けられている側を右方、撮影装置１のマウント周辺部１３を挟んでグリップ１１とは反対側を左方と定義する。また、撮影装置１のレリーズスイッチ１０２ａが設けられている側を上方、その反対側を下方と定義する。
【００５９】
グリップ１１は、撮影者が右手で把持することを想定して形成されている。また、レーズスイッチ１０２ａは、右手の人差指で押下されることを想定して配置されている。そのため、撮影者がグリップ１１を右手で保持したまま、右手の人差指でレリーズスイッチ１０２ａを押し易いように、レリーズスイッチ１０２ａは、押下面が上方を向くように、或いは上方からやや前方に傾いた方向を向くように配置される。これにより、レリーズスイッチ１０２ａは、略下方に向かって押下される。
【００６０】
グリップ１１は、被写体側に最も突出する交換レンズ２０に対して筐体１０ａの前面の中でも離れて位置するパーツであり（図２等参照）、且つ筐体１０ａの前面の中でも被写体側に突出した面（図３等参照）となっている。また、複数のＬＥＤ３０は、前面１１ａの中でも交換レンズ２０（マウント部１２）から離れたグリップ１１に配置されている。そのため、複数のＬＥＤ３０は、被写体から見たときに交換レンズ２０の陰に隠れにくい。従って、撮影者は、自分撮りやセルフタイマ撮影等を行う場合においてもＬＥＤ３０の発光状態を視認しやすい。
【００６１】
図６に、グリップ１１の、ＬＥＤ３０が設けられている箇所の断面図を概略的に示す。図６に示されているように、グリップ１１は、複数のＬＥＤ３０を備えている。ＬＥＤ３０の前方には、ＬＥＤ３０から放射される光を透過させるパネル３２が配置されている。パネル３２は、例えば、透明の樹脂材料から形成される。パネル３２の前方表面は、グリップ１１の前方表面を構成している。また、隣り合うＬＥＤ３０の間には各ＬＥＤ３０から放射されるＬＥＤ光を遮光する遮光板３３が配置されている。そのため、各ＬＥＤ３０から放射されたＬＥＤ光は、パネル３２に入射し、隣り合うＬＥＤ３０に直接入射することはない。なお、図を簡素化するために、図６では、ＬＥＤ３０に対する符号、及び遮光板３３に対する符号は、一部にのみ付与している。
【００６２】
各ＬＥＤ３０は、駆動電流に応じて発光する不図示の発光面を有している。ＬＥＤ３０の発光面の前方には、樹脂やガラスなどの透明材料から構成されるレンズ部３１が設けられている。発光面から放射したＬＥＤ光は、レンズ部３１を通って前方に放射される。レンズ部３１から放射されたＬＥＤ光は、パネル３２を通して撮影装置１の前方に向かって放射される。これにより、撮影装置１に、ＬＥＤ光による状態表示機能やイルミネーション機能を持たせることができる。
【００６３】
状態表示機能とは、撮影装置１の状態を撮影者や被写体に知らせる機能のことである。例えば、各ＬＥＤ３０を点滅させたり、発光強度を変化させたり、発光色を変化させたりすることによって、撮影装置１に設定されている動作モードや撮影装置１の状態を撮影者や被写体に知らせることができる。また、この状態表示機能にはＬＥＤ光が使用されるため、撮影者や被写体が撮影装置１から離れた位置にいる場合であっても、その位置からＬＥＤ光を視認できれば、撮影装置１の状態を撮影者や被写体に知らせることができる。
【００６４】
イルミネーション機能とは、ＬＥＤ光によって撮影装置１を装飾する機能のことである。このイルミネーション機能により、撮影装置１に高級感を持たせる、或いは目立たせる等の付加価値を持たせることができる。
【００６５】
各ＬＥＤ３０は、アノード側端子とカソード側端子を備える。アノード側端子にカソード側端子よりも高い電圧が印加されると、ＬＥＤ３０からは、ほぼアノード側端子とカソード側端子間の電位差に応じたＬＥＤ光が放射される。また、ＬＥＤ３０は、光を受光すると、ほぼその光の強度に応じてアノード側端子にカソード側端子よりも高い電圧を発生させる。そのため、ＬＥＤ３０は受光素子（フォトダイオード）として使用することができる。
【００６６】
次に、各ＬＥＤ３０の制御について説明する。図７は、ＬＥＤ駆動制御部１０３を説明するための図である。各ＬＥＤ３０はそれぞれ、ＬＥＤ駆動制御部１０３に接続され、その動作が制御される。ＬＥＤ駆動制御部１０３は、トランジスタＴｒ１、Ｔｒ２、オペアンプＯＡ、抵抗Ｒ１〜Ｒ９、端子ＩＮ、ＯＵＴ、Ｖｃｃ１〜Ｖｃｃ３、ＧＮＤ１〜ＧＮＤ３を備える。トランジスタＴｒ１、Ｔｒ２は、ＬＥＤ３０の発光を制御するスイッチとして動作する。抵抗Ｒ８、Ｒ９はトランジスタＴｒ２のＢａｓｅ端子に接続されるバイアス抵抗である。抵抗Ｒ６、Ｒ７はトランジスタＴｒ１のＢａｓｅ端子に接続されるバイアス抵抗である。オペアンプＯＡの非反転入力端子（＋）には、端子Ｖｃｃ２に印加された電圧が抵抗Ｒ３、Ｒ２で分圧され、基準電圧としてＲ５を介して印加される。また、オペアンプＯＡの反転入力端子（−）には、ＬＥＤ３０のアノード側電圧がＲ４を介して印加される。
【００６７】
端子ＩＮに、ＬＥＤ３０の発光を指示する信号（例えば、３．３Ｖ電圧）が入力されると、トランジスタＴｒ２がＯＦＦの状態からＯＮの状態となる。また、トランジスタＴｒ２がＯＮの状態になることにより、トランジスタＴｒ１もＯＦＦの状態からＯＮの状態となる。これにより、端子Ｖｃｃ１に印加されている駆動電圧（例えば、５Ｖ電圧）により、トランジスタＴｒ１、抵抗Ｒ１、ＬＥＤ３０、端子ＧＮＤ２を含む経路に駆動電流が流れ、ＬＥＤ３０が発光する。一方、端子ＩＮに、ＬＥＤ３０の発光停止を指示する信号（例えば、０Ｖ電圧）が入力されると、トランジスタＴｒ２、トランジスタＴｒ１がＯＦＦの状態となる。これにより、ＬＥＤ３０に駆動電流が流れなくなり、ＬＥＤ３０の発光が停止する。
【００６８】
端子ＩＮにＬＥＤ３０の発光停止を指示する信号（０Ｖ電圧）が入力されている間、ＬＥＤ３０を受光素子として使用することができる。このとき、ＬＥＤ３０に外部から光が入射されると、ＬＥＤ３０からは、受光した光の光量に応じた電圧が出力される。ＬＥＤ３０から出力された電圧は、オペアンプＯＡの反転入力端子（−）に印加される。また、端子Ｖｃｃ２に印加されている電圧（例えば、５Ｖ電圧）により、オペアンプＯＡの非反転入力端子（＋）には基準電圧が印加される。また、オペアンプＯＡの端子Ｖｃｃ３には、駆動電圧（例えば、５Ｖ電圧）が印加されている。
【００６９】
オペアンプＯＡは、反転入力端子（−）に印加された電圧と非反転入力端子（＋）とに印加された電圧（基準電圧）の大小関係に応じた電圧を出力する比較器（コンパレータ）として動作する。詳しくは、反転入力端子（−）に印加される電圧が非反転入力端子（＋）に印加される電圧よりも小さい場合、オペアンプＯＡの出力端子ＯＵＴからハイレベルの電圧（例えば、５Ｖ電圧）が出力される。また、反転入力端子（−）に印加される電圧が非反転入力端子（＋）に印加される電圧以上である場合、オペアンプＯＡの出力端子ＯＵＴからローレベルの電圧（例えば、０Ｖ）が出力される。そのため、ＬＥＤ３０を受光素子として使用している場合、ＬＥＤ３０による受光量が所定値よりも小さい場合は、ＯＵＴ端子からハイレベルの電圧が出力される。また、ＬＥＤ３０の受光量が所定値以上である場合は、ＯＵＴ端子からローレベルの電圧が出力される。
【００７０】
また、図７では、抵抗Ｒ５の一端は、抵抗Ｒ３と抵抗Ｒ２との間に接続されるが、本発明はこれに限定されない。例えば、抵抗Ｒ５の一端は、不図示のＤＡＣ（Digital to Analog Converter）に接続されてもよい。ＤＡＣは、出力電圧をダイナミックに変化させることが可能である。そのため、図７に示されるＬＥＤ駆動制御部１０３では、オペアンプＯＡの非反転入力端子（＋）に印加する基準電圧を所定の範囲内で任意に変化させることができる。基準電圧を変化させることにより、オペアンプＯＡの出力端子ＯＵＴからハイレベルの電圧を出力させるか、又はローレベルの電圧を出力させるかの、ＬＥＤ３０の受光量の閾値を変化させることができる。
【００７１】
また、図７では、ＬＥＤ３０のアノード側端子は、抵抗Ｒ４と直接接続されているが、本発明はこれに限定されない。例えば、ＬＥＤ３０と抵抗Ｒ４との間に不図示の信号増幅器が挿入されてもしてもよい。
【００７２】
情報報知部１０８が備える複数のＬＥＤ３０はそれぞれ、図７に示されるＬＥＤ制御部１０３と接続されている。そのため、各ＬＥＤ３０は、個別に制御可能である。例えば、各ＬＥＤ３０の発光パターンを個別に制御することや、複数のＬＥＤ３０のうち、一部のＬＥＤ３０を発光素子として使用している間、他のＬＥＤ３０を受光素子として使用することができる。
【００７３】
図８に、グリップ１１の断面図を概略的に示す。図８（ａ）は、グリップ１１が撮影者によって把持されていない場合のＬＥＤ光の伝播を説明するための図である。図８（ｂ）は、グリップ１１が撮影者によって把持されている場合のＬＥＤ光の伝播を説明するための図である。図８（ａ）、図８（ｂ）に示されるＬＥＤのうち、ＬＥＤ３０Ａは、発光素子として駆動されているＬＥＤであり、ＬＥＤ３０Ｂは受光素子として駆動されているＬＥＤである。図８に示される例では、発光素子として駆動されているＬＥＤ３０Ａと、受光素子として駆動されているＬＥＤ３０Ｂとが交互に配置されている。また、図８（ａ）、図８（ｂ）では、ＬＥＤ３０Ａから放射されるＬＥＤ光の一部の伝播方向を矢印で示している。
【００７４】
グリップ１１が把持されていない場合、或いは人の手がグリップ１１の表面に近接していない場合、ＬＥＤ３０Ａから放射されたＬＥＤ光は、図８（ａ）に示されるように、パネル３２を通ってグリップ１１の前方に放射される。なお、隣り合うＬＥＤの間にはＬＥＤ光を遮蔽する遮光板３３が設けられている。そのため、各ＬＥＤ３０Ａから放射されたＬＥＤ光は、他のＬＥＤ３０Ｂに直接入射することはない。
【００７５】
一方、グリップ１１が把持されている場合、図８（ｂ）に示されるように、パネル３２の外側（前方）には撮影者の手の指４０や手のひら（不図示）が配置される。そのため、ＬＥＤ３０Ａから放射された光は、撮影者の手の指４０や手のひらで反射され、ＬＥＤ３０Ｂで受光される。ＬＥＤ３０Ａから放射されるＬＥＤ光の光量及び人の指４０や手のひらの反射率に応じて、ＬＥＤ３０ＢのＬＥＤ駆動制御部１０３における基準電圧を適切に設定することにより、ＬＥＤ３０ＢのＬＥＤ駆動制御部１０３の端子ＯＵＴからの出力電圧を用いて、グリップ１１が把持されているか否かを判定することができる。
【００７６】
なお、本実施形態では、パネル３２がＬＥＤ３０Ａ、３０Ｂの前方に配置されるため、撮影者の手とＬＥＤ３０Ａ、３０Ｂとの間には、パネル３２の厚さ分の間隙が形成される。そのため、パネル３２の前方に撮影者の手が配置されている場合、ＬＥＤ３０Ａから放射されたＬＥＤ光を、この間隙を介してＬＥＤ３０Ｂに入射させることができる。また、遮光板３３により、ＬＥＤ３０Ａから放射されたＬＥＤ光がＬＥＤ３０Ｂに直接入射されるのを防いでいる。これにより、グリップ１１が把持されていないにも拘らず、グリップ１１が把持されていると誤って判定されることを防止できる。
【００７７】
なお、パネル３２は光を透過させる材質であるため、ＬＥＤ３０Ｂには、撮影装置１の外部から外光が入射される。ＬＥＤ３０Ｂで受光された光が、ＬＥＤ３０Ａから放射されたＬＥＤ光と外光のどちらであるのかを区別するために、ＬＥＤ３０Ａは変調して駆動される。詳しくは、ＬＥＤ３０ＡのＬＥＤ駆動回路１０３の端子ＩＮに、ＬＥＤ３０Ａの発光を指示する信号（３．３Ｖ電圧）と、発光停止を指示する信号（０Ｖ電圧）とを、所定の周波数で交互に印加することにより、ＬＥＤ３０Ａは所定の周波数で点滅しながら発光する。グリップ１１が撮影者によって把持されていない場合、ＬＥＤ３０Ｂでは、ＬＥＤ３０Ａから放射されたＬＥＤ光は受光されず、ＬＥＤ３０ＢのＬＥＤ駆動回路１０３の端子ＯＵＴからの出力は常にハイレベルとなる。また、グリップ１１が把持されておらず、且つ、大きな光量の外光がＬＥＤ３０Ｂに入射されると、ＬＥＤ３０ＢのＬＥＤ駆動回路１０３の端子ＯＵＴからの出力は常にローレベルとなる。一方、グリップ１１が保持されている場合、外光は人の手で遮られてＬＥＤ３０Ｂに入射し難くなる。また、この場合、ＬＥＤ３０Ｂでは、所定の周期で変調された（点滅する）ＬＥＤ光が受光されるため、ＬＥＤ３０ＢのＬＥＤ駆動回路１０３の端子ＯＵＴからの出力は、所定の周波数でハイレベルとローレベルが交互に変化する。
【００７８】
そのため、ＬＥＤ３０Ａを変調して駆動させると共に、ＬＥＤ３０Ａが発光している時に、ＬＥＤ３０ＢのＬＥＤ駆動回路１０３の端子ＯＵＴからローレベルの電圧が出力しているかを検出することにより、ＬＥＤ３０Ｂで受光されている光がＬＥＤ光であるのか、又は変調されていない外光（例えば、太陽光）であるのかを判定することができる。また、外光の一つである蛍光灯のフリッカー周波数は５０〜６０Ｈｚであるため、ＬＥＤ３０Ａを５０〜６０Ｈｚ以外の周波数で変調することにより、ＬＥＤ３０Ａで受光されている光が、ＬＥＤ光であるのか、又は蛍光灯から放射された外光であるのかを判定することができる。これにより、外光がある場合においても、グリップ１１が把持されているか否かを判定することができる。また、ＬＥＤ３０ＢのＬＥＤ駆動回路１０３における基準電圧の大きさを、不図示の測光センサで検出した外光の光量に応じて変化させてもよい。これにより、ＬＥＤ３０ＢでＬＥＤ光を受光しているか否かの判定の精度を上げることができる。
【００７９】
また、複数のＬＥＤ３０（３０Ａ、３０Ｂ）は、全て同じ発光波長のＬＥＤ光を放射するＬＥＤである必要はなく、発光波長の異なるＬＥＤを使用しても良い。これにより、情報報知部のイルミネーション機能に変化を持たせることができる。
【００８０】
また、ＬＥＤ３０は、可視光を放射するＬＥＤに限定されず、近赤外光を放射するＬＥＤを使用しても良い。後述するように、近赤外光を放射するＬＥＤを使用することにより、グリップ１１が把持されているのか否かだけでなく、グリップ１１が人の手によって把持されている状態とグリップ１１の前方に人の手以外の障害物が近接して配置されている状態とを区別して検知することができる。
【００８１】
次に、撮影装置１のイルミネーション機能及びグリップ１１が把持されていることの検知機能について、フローチャートを用いて説明する。
【００８２】
図９は、複数の青色ＬＥＤと複数の近赤外ＬＥＤを含む情報報知部１０８を備える撮影装置１における、ＬＥＤ光を用いたイルミネーション機能及びグリップ把持検知機能の制御に関するフローチャートである。青色ＬＥＤからは青色光を放射させることが可能であり、近赤外ＬＥＤからは赤色を含む近赤外光を放射させることが可能である。撮影装置１の電源が入れられ、操作部１０２に対してカメラ機能モードをＯＮにする操作が入力されると、図９に示される制御フローが開始される。カメラ機能モードとは、撮影装置１によって被写体を撮影するための動作モードである。撮影装置１のカメラ機能モード以外の動作モードとしては、例えば、撮影装置１の各種設定項目のパラメータを設定するための設定モード等がある。なお、図９に示されるフローチャートは、撮影装置１のメインフローと並列に動作するサブルーチンとして実行されてもよい。
【００８３】
処理ステップＳ１０１では、撮影装置１がグリップ検知モードに設定されているか否かが判定される。グリップ検知モードは、撮影者によってグリップ１１が把持されているか否かを検知するためのモードである。撮影装置１がグリップ検知モードに設定されていない場合（Ｓ１０１：ＮＯ）、処理ステップＳ１０２に進む。一方、撮影装置１がグリップ検知モードに設定されている場合（Ｓ１０１：ＹＥＳ）、処理ステップＳ１０４に進む。なお、図９に示される制御フローが開始されて、最初に処理ステップＳ１０１が実行された時、複数のＬＥＤは、何れも消灯された状態か、或いは予め設定された所定の発光パターンで発光駆動されている。
【００８４】
処理ステップＳ１０２では、全てのＬＥＤが発光素子として駆動され、予め設定された所定のパターンで発光駆動される。これにより、撮影装置１に対してイルミネーション機能（通常イルミネーション）が持たされる。なお、処理ステップＳ１０２では、近赤外ＬＥＤは消灯されていてもよい。処理ステップＳ１０２でＬＥＤが発光駆動されると、次の処理ステップＳ１０３に進む。
【００８５】
処理ステップＳ１０３では、撮影装置１が撮影待機状態となる。撮影装置１は、撮影待機状態において、被写体の撮影処理を指示するレリーズスイッチ１０２ａの操作を待ち受ける。撮影装置１が撮影待機状態となっている時にレリーズスイッチ１０２ａが操作されると、所定の撮影処理が実行される。
【００８６】
処理ステップＳ１０４では、複数のＬＥＤが、発光素子として駆動されるＬＥＤと、受光素子として駆動されるＬＥＤとに分けられる。なお、発光素子として駆動されるＬＥＤと受光素子として駆動されるＬＥＤの両方に、青色ＬＥＤと近赤外ＬＥＤが含まれる。処理ステップＳ１０４では、受光素子として駆動されるＬＥＤ（受光側ＬＥＤ）は、受光を待機する状態となる。
【００８７】
処理ステップＳ１０５では、発光素子として駆動されるＬＥＤが、所定の周波数で変調されて発光駆動される。これにより、青色ＬＥＤからは変調された青色光が放射され、近赤外ＬＥＤからは変調された近赤外光が放射される。なお、処理ステップＳ１０５では、青色ＬＥＤと近赤外ＬＥＤは、所定の周波数でパルス駆動される。また、青色ＬＥＤと近赤外ＬＥＤは同時に発光駆動されるのではなく、択一的に発光駆動される。
【００８８】
処理ステップＳ１０６では、受光素子として駆動されている青色ＬＥＤが所定光量以上の光を受光しているか否かが判定される。処理ステップＳ１０６で、青色ＬＥＤが所定光量以上の光を受光していると判定された場合（Ｓ１０６：ＹＥＳ）、次の処理ステップＳ１０７に進む。一方、青色ＬＥＤが所定光量以上の光を受光していないと判定された場合（Ｓ１０６：ＮＯ）、グリップ１１の外部には何も配置されていないと判定され、処理ステップＳ１０１に戻る。処理ステップＳ１０１では、再度、撮影装置１がグリップ検知モードに設定されているか否かが判定され、判定結果に応じて、ＬＥＤは、処理ステップＳ１０２又はＳ１０５において発光駆動される。なお、処理ステップＳ１０６で青色ＬＥＤが所定量以上の光を受光していないと判定されてから（Ｓ１０６：ＮＯ）、処理ステップＳ１０２又はＳ１０５で、発光駆動が行われるまでの間、各ＬＥＤの駆動状態は維持される。
【００８９】
処理ステップＳ１０７では、受光素子として駆動されている近赤外ＬＥＤが所定光量以上の光を受光しているか否かが判定される。近赤外ＬＥＤが所定光量以上の光を受光していると判定された場合（Ｓ１０７：ＹＥＳ）、グリップ１１の外側に人の手以外の障害物が配置されていると判定されて、処理ステップＳ１０８に進む。一方、近赤外ＬＥＤが所定光量以上の光を受光していないと判定された場合（Ｓ１０７：ＮＯ）、グリップ１１が撮影者によって把持されていると判定されて、処理ステップＳ１０９に進む。
【００９０】
ここで、ＬＥＤの受光量を用いた障害物と人の手との判別方法について説明する。図１０及び図１１に、ＬＥＤ３０として青色ＬＥＤ５０Ａ、５０Ｂ及び近赤外ＬＥＤ５１Ａ、５１Ｂを備えるグリップ１１の断面図の概略図を示す。図１０及び図１１では、説明の便宜上、発光素子として駆動される青色ＬＥＤ５０Ａと、受光素子として駆動される青色ＬＥＤ５０Ｂを一つずつ示している。また、図１１では、説明の便宜上、発光素子として駆動される近赤外ＬＥＤ５１Ａと、受光素子として駆動される近赤外ＬＥＤ５１Ｂを一つずつ示している。青色ＬＥＤ５０Ａから放射される青色光の波長帯域は、例えば、４３０〜４８０ｎｍである。近赤外ＬＥＤ５１Ａから放射されるＬＥＤ光の波長帯域は、例えば７５０〜１０００ｎｍである。
【００９１】
図１０（ａ）は、グリップ１１の前方に非透過性の障害物４１が近接して配置されている場合の青色光の伝搬を説明するための図である。図１０（ｂ）は、グリップ１１が撮影者によって把持されている場合の青色光の伝搬を説明するための図である。図１０（ａ）に示されているように、グリップ１１の前方に障害物が近接して配置されている場合、青色ＬＥＤ５０Ａから放射された青色光は障害物４１で反射され、青色ＬＥＤ５０Ｂで受光される。また、図１０（ｂ）に示されているように、グリップ１１が把持されている場合、人の皮膚は青色光を反射させる特性を有しているため、青色ＬＥＤ５０Ａから放射された青色光は人の手で反射され、青色ＬＥＤ５０Ｂで受光される。なお、障害物４１や人の指４０は、通常、光を拡散反射させるため、図１０（ａ）、図１０（ｂ）には、障害物４１や人の指４０で拡散反射している（鏡面反射していない）青色光の一部が示されている。このように、障害物４１や人の指４０で青色光が反射されるため、青色ＬＥＤ５０Ｂにおける受光量が所定光量以上であるか否かを検知することによって、グリップ１１の前方に物（障害物４１、人の指４０）が近接しているか否かを判定することができる（Ｓ１０６）。
【００９２】
図１１（ａ）は、グリップ１１の前方に非透過性の障害物４１が近接して配置されている場合の近赤外光の伝搬を説明するための図である。図１０（ｂ）は、グリップ１１が撮影者によって把持されている場合の近赤外光の伝搬を説明するための図である。グリップ１１の前方に障害物４１が近接して置かれている場合、近赤外ＬＥＤ５１Ａから放射された近赤外光は障害物４１で反射され、近赤外ＬＥＤ５１Ｂで受光される。また、人の皮膚は近赤外光（波長７５０〜１０００ｎｍの光）を比較的透過させやすい特性を有する。そのため、グリップ１１が撮影者の手で把持されている場合、近赤外ＬＥＤ５１Ｂで受光される近赤外光の光量は小さい。これにより、近赤外ＬＥＤ５１Ｂにおける受光量が所定光量以上であるか否かを検知することによって、グリップ１１の前方に障害物４１が近接して配置されているか、又はグリップが人の手で把持されているかを判定することができる（Ｓ１０７）。
【００９３】
なお、説明の便宜上、図１０では青色ＬＥＤ５０Ａ、５０Ｂのみを示し、図１１では近赤外ＬＥＤ５１Ａ、５１Ｂのみを示したが、実際には、例えば、青色ＬＥＤ５０Ａ及び青色ＬＥＤ５０Ｂのペアと、近赤外ＬＥＤ５１Ａ及び近赤外ＬＥＤ５１Ｂのペアとが交互に配置される（例えば、青色ＬＥＤ５０Ａ／青色ＬＥＤ５０Ｂ／近赤外ＬＥＤ５１Ａ／近赤外ＬＥＤ５１Ｂ／青色ＬＥＤ５０Ａ／青色ＬＥＤ５０Ｂ／近赤外ＬＥＤ５１Ａ／近赤外ＬＥＤ５１Ｂ、という順序で配置される）。グリップ１１の前方に障害物４１が配置されている場合やグリップ１１が把持されている場合、青色ＬＥＤ５０Ａを発光させた場合は青色光が青色ＬＥＤ５０Ｂに入射され、近赤外ＬＥＤ５１Ａを発光させた場合は近赤外光が近赤外ＬＥＤ５１Ｂに入射される。ここで、青色ＬＥＤと近赤外ＬＥＤは、択一的に発光駆動されるため、青色光の光量と近赤外光の光量を個別に検知することができる。これにより、グリップ１１の前方に障害物４１が配置されているか、又はグリップが人の手で把持されているかを判定することができる。
【００９４】
なお、本発明では、発光素子として駆動されるＬＥＤと発光素子として駆動されるＬＥＤは、交互に配置されている必要はない。例えば、受光素子として駆動されるＬＥＤは、２つおきに配置されてもよく、不規則な順序で配置されていてもよい。また、一列に並んで配置されている複数のＬＥＤのうち、両端のＬＥＤのみを受光素子として駆動してもよく、両端と中央部の３つのＬＥＤのみを受光素子として駆動しても良い。
【００９５】
また、本発明では、青色ＬＥＤと近赤外ＬＥＤの数が同数である必要はない。例えば、複数のＬＥＤのうち、特定の色のＬＥＤ（例えば、青色ＬＥＤ）の割合が大きくてもよい。
【００９６】
処理ステップＳ１０６、Ｓ１０７で、グリップ１１の前方に障害物４１が配置されていると判定された場合（Ｓ１０６：ＹＥＳ、Ｓ１０７：ＹＥＳ）、処理ステップＳ１０８が実行される。処理ステップＳ１０８では、発光素子として駆動されているＬＥＤを所定の発光パターンで発光駆動する（障害物検知通知イルミネーション）。処理ステップＳ１０８における発光パターンは、例えば、撮影者や被写体が認識可能な周期（例えば、数Ｈｚ）での点滅発光である。処理ステップＳ１０８でＬＥＤが発光駆動されると、処理ステップＳ１０９に進む。
【００９７】
処理ステップ１０９では、撮影装置１の撮影待機状態が解除される。なお、処理ステップ１０９が実行される前の時点で撮影装置１が撮影待機状態にない場合は、処理ステップＳ１０９ではその状態が維持される。撮影装置１の撮影待機状態が解除されると、撮影待機状態が解除されている間にレリーズスイッチ１０２ａが操作されたとしても、撮影装置１による撮影処理は実行されない。これにより、撮影者が撮影装置１（グリップ１１）を把持していないにも拘わらず、誤って撮影処理が行われてしまうことを防止できる。処理ステップＳ１０９で撮影待機状態が解除されると、処理ステップ１１２に進む。
【００９８】
処理ステップＳ１０６、Ｓ１０７で、グリップ１１が把持されていると判定された場合（Ｓ１０６：ＹＥＳ、Ｓ１０７：ＮＯ）、処理ステップＳ１１０が実行される。処理ステップＳ１１０では、発光素子として駆動されているＬＥＤが、処理ステップＳ１０８における発光パターンとは異なる発光パターンで発光駆動される（グリップ検知通知イルミネーション）。処理ステップＳ１１０における発光パターンは、例えば、常時発光（点灯発光）である。これにより、撮影者は、青色ＬＥＤ３０Ａが点灯発光しているか、又は点滅発光しているかを見ることによって、グリップが把持されているか否かを把握することができる。処理ステップＳ１１０でＬＥＤが発光駆動されると、処理ステップＳ１１１に進み、撮影装置１が撮影待機状態となる。処理ステップＳ１１１で撮影装置１が撮影待機状態に設定されると、処理ステップＳ１１２に進む。
【００９９】
処理ステップＳ１１２では、操作部１０２に対し、カメラ機能モードを解除する操作が行われたか否かが判定される。カメラ機能モードを解除する操作が行われていないと判定された場合（Ｓ１１２：ＮＯ）、処理ステップＳ１０１に戻る。一方、カメラ機能モードを解除する操作が行われたと判定された場合（Ｓ１１２：ＹＥＳ）、処理ステップＳ１１３に進む。
【０１００】
処置ステップＳ１１３では、撮影装置１のカメラ機能モードが解除されて、本制御フローが終了する。
【０１０１】
このように、本実施形態では、グリップ１１に配置されたＬＥＤ３０を発光させることにより、撮影装置１の状態（動作モード）を撮影者や被写体に報知することができる。また、ＬＥＤ３０を受光素子として使用することにより、グリップ１１が把持されているか否かを判定することができる。また、グリップ１１が把持されているか否かに応じて、撮影装置１の状態（撮影待機状態か否か）を変化させることにより、撮影装置１の誤操作を防ぐことができる。
【０１０２】
また、グリップ１１に波長帯域の異なる複数のＬＥＤを配置することにより、グリップ１１が把持されているのか、又はグリップ１１の前方に障害物４１が配置されているのかの判定を行うことができる。
【０１０３】
また、本実施形態では、ＬＥＤ３０はグリップ１１内に配置されている。そのため、撮影装置１にイルミネーション機能や誤操作の防止機能を持たせるために、従来技術のように、装置を大型化する必要がない。
【０１０４】
なお、上述の実施形態では、情報報知部１０８は、グリップ１１の前方に配置されている。撮影装置１などの撮影機能を有する電子機器は、右手の人差し指でレリーズスイッチを操作するように設計されていることが多い。このように設計されている電子機器では、撮影者が撮影装置１を把持すると、グリップ１１の前方で且つレリーズスイッチの下方に、右手の中指、薬指、小指が並んで配置される。そのため、グリップ１１の前方に情報報知部１０８を配置することにより、情報報知部１０８（ＬＥＤ３０）によってグリップ１１が把持されているか否かを検知しやすくなる。ただし、本発明における情報報知部１０８の配置される位置はグリップ１１の前方に限定されない。情報報知部１０８は、撮影者によって撮影装置１が保持されていることが検知できる場所に配置されていればよく、例えば、撮影装置１の右側側面に設けられていてもよい。また、情報報知部１０８は、撮影装置１に複数箇所に設けられていてもよい。更に、情報報知部１０８が備えるＬＥＤ３０は、左右方向や前後方向など、上下方向以外の方向に並んで配置されていてもよい。
【０１０５】
また、上述の実施形態の処理ステップＳ１０６、Ｓ１０７では、受光素子として駆動されているＬＥＤからの出力に応じて、グリップ１１の前方に障害物４１が配置されているか、又は、グリップ１１が把持されているかが判定されるが、本発明はこれに限定されない。例えば、処理ステップＳ１０６では、受光素子として駆動されている青色ＬＥＤが、所定光量以上の光を、所定時間以上受光し続けているか否かを検知してもよい。また、処理ステップＳ１０７では、受光素子として駆動されている近赤外ＬＥＤが、所定光量以上の光を、所定時間以上受光し続けているか否かを検知してもよい。このように、受光量だけでなく、受光時間も検知することにより、物体（障害物、人の手）が、一時的に（又は瞬間的に）グリップ１１に近接しているのか否かが判定される。例えば、撮影者がグリップ１１を把持する場合、把持する時間は数秒以上持続すると考えられる。そのため、例えば、受光素子として駆動されている青色ＬＥＤの受光量が所定値よりも大きく（Ｓ１０６：ＹＥＳ）、且つ、受光素子として駆動されている近赤外ＬＥＤの受光量が所定値よりも小さい（Ｓ１０７：ＮＯ）状態が１秒以上持続した場合に、グリップ１１が把持されていると判定してもよい。これにより、グリップ１１が把持されているか否かの判定精度を上げることができると共に、撮影装置１の撮影待機状態が頻繁に切り替わってしまうことを防止できる。
【０１０６】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【０１０７】
以下では、上述の実施形態に基づく様々な変形例について説明する。
【０１０８】
（１）グリップの把持の検知に関する変形例
上述の実施形態では、グリップ１１の前方に障害物４１が配置されているか、又はグリップ１１が把持されているかを判定するためにＬＥＤを使用しているが、本発明はこれに限定されない。本発明の実施形態の変形例１では、ＬＥＤを、撮影者が自分撮りを行おうとしているか否かを判定するために使用する。
【０１０９】
図１２は、本発明の実施形態の変形例１における撮影装置１の、グリップ１１付近を模式的に示したものである。図１２（ａ）は、撮影者が撮影装置１の後方にいて、グリップ１１を右手４２で把持している場合の右手４２の配置を説明するための図である。図１２（ｂ）は、撮影者が撮影装置１の前方（撮影方向）にいて、グリップ１１を左手４３で把持している場合の左手４３の配置を説明するための図である。撮影者が自分で撮影装置１を操作して自分を撮影する（自分撮りする）場合に、図１２（ｂ）に示されるような状態となる。なお、図１２（ａ）、図１２（ｂ）では、手（４２、４３）とＬＥＤ３０との位置関係を説明するために、手（４２、４３）とグリップ１１を一部透過させて示している。
【０１１０】
撮影者がグリップ１１を右手４２で把持している場合、図１２（ａ）に示されるように、右手４２の人差指から小指はグリップ１１の前方に配置される。情報報知部１０８（ＬＥＤ３０）は、グリップ１１の前方に配置されているため、図１２（ａ）に示される例では、情報報知部１０８は右手４２の指によって覆われやすくなる。
【０１１１】
一方、撮影者がグリップ１１を左手４３で把持している場合、図１２（ｂ）に示されるように、左手の一部（例えば、左手４３の親指）が撮影装置１の前方に配置される。そのため、図１２（ａ）に示される場合に比べて、情報報知部１０８全体が手によって覆われにくくなる。図１２（ｂ）に示される例では、情報報知部１０８の上側が左手４３によって覆われ、下側は覆われていない状態となる。
【０１１２】
図１３に、変形例１におけるグリップ１１の断面図を概略的に示す。図１３（ａ）は、撮影者が撮影装置１の後方にいて、グリップ１１を右手４２で把持している場合のＬＥＤ光の伝搬を説明するための図である。図１３（ｂ）は、撮影者が撮影装置１の前方にいて、グリップ１１を左手４３で把持している場合のＬＥＤ光の伝搬を説明するための図である。図１３（ａ）、図１３（ｂ）に示されるＬＥＤのうち、ＬＥＤ３０Ａは、発光素子として駆動されているＬＥＤであり、ＬＥＤ３０Ｂは受光素子として駆動されているＬＥＤである。
【０１１３】
グリップ１１が右手４２で把持されている場合、図１３（ａ）に示されるように、パネル３２の前方には、パネル３２のほぼ全面に亘って撮影者の右手４２が配置される。そのため、ＬＥＤ３０Ａから放射された光は、撮影者の右手４２で反射され、ＬＥＤ３０Ｂで受光される。そのため、何れのＬＥＤ３０Ｂからの出力を用いても、グリップ１１が把持されている（或いは、物体（人の手、障害物）がグリップの前方に近接して配置されている）と判定される。
【０１１４】
一方、グリップ１１が左手４３で把持されている場合、図１３（ｂ）に示されるように、パネル３２の前方のうち、一部に撮影者の左手４３が配置される。そのため、ＬＥＤ３０Ａから放射された光の一部は撮影者の左手４３で反射されてＬＥＤ３０Ｂで受光されるが、他の一部は、左手４３で反射されることなく、グリップ１１の前方に放射される。そのため、上側に配置された、左手４３の後方に位置するＬＥＤ３０Ｂの出力からは、グリップ１１が把持されていると判定されるが、下側に配置されたＬＥＤ３０Ｂの出力からは、グリップ１１が把持されていると判定されない。
【０１１５】
そのため、受光素子として駆動されているＬＥＤ３０Ｂのうち、グリップ１１が把持されていると判定されるＬＥＤ３０Ｂが連続して何個あるかに応じて、グリップ１１が右手４２で保持されているか、又は左手４３で保持されているかを判定することができる。言い換えると、グリップ１１が把持されていると判定されるＬＥＤ３０Ｂが連続して配置される範囲（長さ）によって、右手４２と左手４３のどちらでグリップ１１が把持されているかを判定することができる。
【０１１６】
また、本発明では、グリップ１１に配置されるＬＥＤ３０の大きさ、ＬＥＤ３０の個数、隣り合うＬＥＤ３０間の間隔等は限定されない。そのため、ＬＥＤ３０の個数や配置される間隔等に応じて、右手４２と左手４３のどちらでグリップ１１が把持されているかを判定する条件は異なる。
【０１１７】
また、本変形例では、グリップ１１が右手４２と左手４３の何れで把持されているかによって、撮影装置１の動作モードを変更してもよい。例えば、グリップ１１が左手４３で把持されている場合、撮影装置１が備える顔認識機能を用いて撮影処理が行われるように、設定が切り替えられてもよい。顔認識機能は、固体撮像素子１１２から出力される画像信号に基づいて、被写体が人である場合に、人の顔を認識する機能である。顔認識機能を用いることにより、被写体が笑顔であるか否か、又は被写体の目が開いているか否か等を検知することができる。撮影者がグリップ１１を左手４３で把持して自分撮りをしようとする場合、顔認識機能によって笑顔や目が開いていることを検知したことに応じて撮影処理が実行されるように撮影装置１の設定を変更することにより、撮影者はＬＣＤ１２４に表示されるスルー画を確認することなく、良好な撮影画像を得ることができる。
【０１１８】
また、グリップ１１が把持されていると判定されるＬＥＤ３０Ｂが連続して配置される長さの利用方法は、右手４２による把持と左手４３による把持の判定処理に限定されない。例えば、グリップ１１が把持されていると判定されるＬＥＤ３０Ｂが連続して配置される長さが所定長よりも短い場合、グリップ１１が正しく保持されていないと判定されてもよい。例えば、右手４２でグリップ１１を把持する場合、撮影装置１を右手４２の親指と、人差し指及び中指（３本指）で挟むように把持し、且つ、薬指と小指を把持に使用しない場合、把持されていると判定されるＬＥＤ３０Ｂの長さが所定長よりも短いと判定される。３本指で撮影装置１が保持されている場合、全ての指を使用して把持する場合に比べて把持する力が弱くなり、撮影装置１が落下してしまう虞がある。そのため、この場合、撮影者に対し、ＬＥＤ３０Ａの発光駆動やＬＣＤ１２４等により撮影装置１を正しく把持されていないことが報知される。
【０１１９】
また、グリップ１１が把持されていると判定されるＬＥＤ３０Ｂが連続して配置される長さが所定長よりも短い場合、単に、グリップ１１が把持されていないと判定されてもよい。
【０１２０】
（２）ＬＥＤの配置に関する変形例
上述の実施形態では、図８等に示されるように、ＬＥＤ３０は上下方向に一列に配置されるが、本発明はこれに限定されない。本発明の実施形態の変形例２では、ＬＥＤは二次元的に配置される。
【０１２１】
図１４に、本実施形態の変形例２における情報報知部１０８の上面図の概略図を示す。変形例２における情報報知部１０８は、二次元的に並べて配置された複数のＬＥＤを有している。変形例２では、グリップ１１が把持されているか否か（或いは、物体（人の手、障害物）がグリップの前方に近接して配置されているか否か）を判定する場合、複数のＬＥＤは一つおきに発光素子及び受光素子として駆動される。図１４に示されるＬＥＤのうち、ＬＥＤ６０Ａは、発光素子として駆動されるＬＥＤであり、ＬＥＤ６０Ｂは、受光素子として駆動されるＬＥＤである。なお、図を簡素にするため、図１４では、ＬＥＤの符号（６０Ａ、６０Ｂ）を一部のＬＥＤにのみ付与している。
【０１２２】
撮影者がグリップ１１を把持し、撮影者の手が情報報知部１０８に接触すると、接触位置の後方に配置されているＬＥＤ６０Ｂの出力からグリップ１１が把持されていると判定される。例えば、撮影者の右手の全ての指を使用してグリップ１１を把持している場合、右手の指とグリップ１１の前方に設けられた情報報知部１０８との接触面積は比較的大きくなる。一方、例えば、薬指・小指を除く三本指でグリップ１１を把持する場合、右手の指と情報報知部１０８との接触面積は比較的小さくなる。手と情報報知部１０８との接触範囲（接触位置及び接触面積）は、グリップ１１が把持されていると判定されるＬＥＤ６０Ｂの位置及び数に対応するため、各ＬＥＤ６０Ｂを用いた判定結果の分布を用いて、グリップ１１が正常に把持されているか否かを判定することができる。例えば、複数のＬＥＤ６０Ｂのうち、グリップ１１が把持されていると判定されるＬＥＤ６０Ｂが連続して配置される範囲の大きさが所定値以上である場合に、グリップ１１が把持されていると判定する。また、二次元的に配置された複数のＬＥＤを用いることにより、図８に示されるような一次元的に配置されたＬＥＤを用いる場合に比べて、より正確にグリップ１１が把持されているか否かの判定を行うことができる。
【０１２３】
また、撮影装置１には、各ＬＥＤ６０Ｂを用いた判定結果のパターンが予め登録されていてもよい。例えば、右手の全ての指を使用してグリップ１１を保持している場合や、グリップ１１から右手の人差し指が離されてレリーズスイッチ１０２ａが操作されている場合、グリップ１１が３本指で把持されている場合、グリップ１１が左手で把持されている場合など、複数の状況に対応したＬＥＤ６０Ｂの判定結果のパターンを予め撮影装置１の所定の記憶領域に登録しておいてもよい。この場合、実際のＬＥＤ６０Ｂの判定結果のパターンが予め登録しておいた複数の判定結果のパターンと合致するかが判定される。次いで、判定結果がいずれのパターンに合致するかに応じて、撮影装置１の設定の変更や、発光素子として駆動しているＬＥＤ６０Ａの発光パターンの変更が行われる。
【０１２４】
また、本発明の実施形態の変形例２では、撮影者の手のグリップ１１（情報報知部１０８）への接触圧力の変化を検知してもよい。図１５に、撮影者の指４４が接触している情報報知部１０８の断面図を示す。図１５（ａ）は、指４４が情報報知部１０８に与える圧力が小さい場合の接触範囲Ｗａを説明するための図である。図１５（ｂ）は、指４４が情報報知部１０８に与える圧力が大きい場合の接触範囲Ｗｂを説明するための図である。なお、図１５では、説明の便宜上、受光素子として駆動されているＬＥＤ６０Ｂのみを誇張して記載し、発光素子として駆動されているＬＥＤ６０Ａの記載を省略している。
【０１２５】
図１５に示されるように、指４４が情報報知部１０８に与える圧力が変化すると、それに応じて指４４の形状が変化する。指４４の形状変化に伴って情報報知部１０８との接触範囲（Ｗａ、Ｗｂ）が変化し、グリップ１１（情報報知部１０８）の外側（前方）に物体が近接していると判定されるＬＥＤ６０Ｂの分布が変化する。
【０１２６】
図１６に、本実施形態の変形例２における情報報知部１０８の上面図の概略図を示す。図１６における発光素子として駆動されるＬＥＤ及び受光素子として駆動されるＬＥＤの配置は、図１４に示される配置と同じである。ただし、図１６では、図面を簡素にするため、発光素子として駆動されるＬＥＤ及び受光素子として駆動されるＬＥＤを区別して記載していない。
【０１２７】
図１６における範囲Ｗａ、Ｗｂはそれぞれ、図１５（ａ）における接触範囲Ｗａ、Ｗｂに対応する。指４４と情報報知部１０８の間の接触圧力が小さい場合、接触範囲Ｗａに対応する位置に配置されたＬＥＤ６０Ｂａにおいて、グリップ１１の前方に物体が近接して配置されていると判定される。また、指４４と情報報知部１０８との接触位置を変化させずに接触圧力を大きくした場合、接触範囲Ｗａを含む接触範囲Ｗｂに対応する位置に配置されたＬＥＤ６０Ｂｂにおいて、グリップ１１の前方に物体が近接して配置されていると判定される。これにより、物体が近接して配置されていると判定されるＬＥＤが連続して配置される範囲に基づいて、指４４の接触圧力の変化を検知することができる。検知した指４４の接触圧力の変化は、撮影装置１の設定の変更や、発光素子として駆動しているＬＥＤ６０Ａの発光パターンの変更に使用される。これにより、撮影者は、グリップ１１を手で把持した状態で把持する力を強くして手（指）とグリップ１１（情報報知部１０８）の間の接触圧力を変化させることにより、把持している手を移動させることなく撮影装置１の操作を行うことができる。
【０１２８】
また、受光素子として駆動される複数のＬＥＤ６０Ｂを使用することにより、情報報知部１０８に対するタップ操作やフリック操作を検知することができる。ＬＥＤ６０Ｂを使用して検知されたこれらの操作は、撮影装置１の動作の制御に使用することができる。また、情報報知部１０８への接触圧力の変化の検知や、タップ操作、フリック操作などは、図２に示されるような一次元的に並んで配置されたＬＥＤを使用しても検知可能であることは言うまでもない。
【０１２９】
（３）ＬＥＤの構成に関する変形例
上述の実施形態では、図８等に示されるように、各ＬＥＤ３０Ａ、３０Ｂの前方にＬＥＤ光を透過させるパネル３２が配置されるが、本発明はこれに限定されない。図１７は、本発明の実施形態の変形例３における、グリップ１１の、ＬＥＤ３０Ａ、３０Ｂが設けられている箇所の断面図を概略的に示す。変形例３におけるグリップ１１は、複数のＬＥＤ３０Ａ、３０Ｂを備えている。隣り合うＬＥＤ３０Ａ、３０Ｂの間には各ＬＥＤから放射されるＬＥＤ光を遮光する遮光板３４が配置されている。そのため、各ＬＥＤ３０から放射されたＬＥＤ光は、隣り合うＬＥＤに直接入射することはない。また、各遮光版３４の前方には、一つおきに壁部３５が配置されている。壁部３５は、グリップ１１の前方表面に穴を開けることによって形成されてもよく、グリップ１１の表面を形成する部品とは異なる部品で形成されていてもよい。この壁部３５によって、一対のＬＥＤ３０Ａ、ＬＥＤ３０Ｂの前方に凹部３６が形成される。
【０１３０】
変形例３では、複数のＬＥＤ３０Ａ、３０Ｂの前方に壁部３５が配置されているため、撮影者の手がグリップ１１の前方に接触したとしても、その手と各ＬＥＤ３０Ａ、３０Ｂとの間の間隙が形成される。これにより、ＬＥＤ３０Ａから放射され、撮影者の手で反射されたＬＥＤ光をＬＥＤ３０Ｂで受光することがきる。
【０１３１】
また、ＬＥＤ３０Ａ、３０Ｂの前方に間隙を形成する構成は、図１７に示される例に限定されない。図１８は、変形例３における撮影装置１の、グリップ１１付近を模式的に示したものである。図１８に示される構成では、グリップ１１の前方には上下方向に長尺な凹部３７が形成されている。また、複数のＬＥＤ３０は、凹部３７内の、グリップ１１の前方の表面よりも後方に下がった位置に配置されている。また、凹部３７の左右方向の幅は、人の指の幅が入り込まないように、数ｍｍ程度に設定されている。また、図１８に示される構成では、図１７に示される構成と異なり、壁部３５は配置されていない。図１８に示される構成では、人の指が凹部３７内に入り込まないので、撮影者の手がグリップ１１の前方に接触したとしても、その手と各ＬＥＤ３０との間の間隙が形成される。
【０１３２】
（４）ＬＥＤの種類、発光パターンに関する変形例
上述の実施形態では、ＬＥＤは青色ＬＥＤと近赤外ＬＥＤを備えており、青色ＬＥＤの発光パターン（点滅発光か、点灯発光か）を変えることによって、撮影装置１の状態を撮影者又は被写体に報知しているが、本発明の実施形態はこれに限定されない。例えば、ＬＥＤは、青色光や近赤外光以外の光を放射するＬＥＤ、青色以外の可視光を放射するＬＥＤ、白色ＬＥＤ等を備えていてもよい。白色ＬＥＤは、白色のＬＥＤ光を放射するＬＥＤで、赤・緑・青等の単色の光を個別に発光制御できないＬＥＤである。白色ＬＥＤには、例えば、赤・緑・青色のＬＥＤ光をそれぞれ放射する３つのＬＥＤチップを備えるＬＥＤや、青色のＬＥＤチップと黄色の蛍光を発する蛍光体を備えるＬＥＤが使用される。また、ＬＥＤによる撮影者又は被写体への報知する際の発光パターンの変化は、ＬＥＤの発光が点滅発光する周期を切り替えるものであってもよい。また、ＬＥＤの発光パターンの変化は、ＬＥＤ光の光量を切り替えるものであってもよい。また、ＬＥＤの発光パターンの変化は、放射するＬＥＤ光の色や点灯時間、光量等の組み合わせを切り替えるものであってもよい。
【０１３３】
（５）報知対象に関する変形例
また、上述の実施形態では、ＬＥＤ光はグリップ１１の前方に物（人の手や障害物）が近接して配置されていることを報知するために使用されるが、本発明の実施形態はこれに限定されない。ＬＥＤ光は、撮影装置１の様々な状態を撮影者又は被写体に報知するために使用されてもよい。
【０１３４】
例えば、ＬＥＤ光は、撮影装置１が備える顔認識機能による検知結果を、被写体に知らせることができる。詳しくは、顔認識機能による検知結果に応じて、ＬＥＤ光の発光パターンやＬＥＤ光の色を変化させることにより、被写体はＬＥＤ光を見ることによって顔認識機能による検知結果を確認することができる。
【０１３５】
また、ＬＥＤ光は、撮影装置１が備える動体検知機能と組み合わされて使用されてもよい。動体検知機能は、固体撮像素子１１２から得られる画像信号に基づいて、動いている被写体を検知する機能である。動体検知機能を用いることにより、被写体が静止しているか否か、又は動いている被写体が撮影装置１の画角内の所望の位置にいるか否かを検知することができる。この検知結果を撮影装置１を操作している撮影者に報知することにより、撮影者にとって好ましいタイミングで撮影を行うことができる。
【０１３６】
この例では、ＬＥＤ光を用いて、動体検知機能による検知結果を、被写体に知らせることができる。詳しくは、動体検知機能による検知結果に応じて、ＬＥＤ光の発光パターンやＬＥＤ光の色を変化させることにより、被写体はＬＥＤ光を見て動体検知機能による検知結果を確認することができる。
【０１３７】
なお、撮影装置１の顔認識機能や動体検知機能による検知結果は、単に撮影者又は被写体に知らされるだけでなく、撮影処理のトリガとして使用されてもよい。これにより、撮影装置１を直接操作することなく、好ましいタイミングで被写体の撮影を行うことができる。
【０１３８】
また、ＬＥＤ光は、撮影装置１の他の機能と組み合わされて使用されてもよい。
【０１３９】
例えば、ＬＥＤ光により、撮影装置１のピントが被写体に合っているか否かを撮影者又は被写体に知らせてもよい。また、撮影装置１と被写体との距離に応じてＬＥＤ光の発光パターンや色等を変更してもよい。例えば、撮影装置１は、測距装置によって測定された撮影装置１と被写体との間の距離に基づいて被写体がＡＦ制御によるピントの調整可能な範囲にいるかを否かを判定し、判定結果をＬＥＤ光を用いて撮影者又は被写体に報知してもよい。
【符号の説明】
【０１４０】
１  撮影装置
１０  カメラ本体部
１０ａ  筐体
１１  グリップ
１１ａ  （グリップの）前面
１２  マウント部
１３  マウント周辺部
１４  （筐体１０ａの前面に形成された）面
２０  交換レンズ
３０、３０Ａ、３０Ｂ  発光ダイオード（ＬＥＤ）
３１  レンズ部
３２  パネル
３３、３４  遮光板
３５  壁部
３６、３７  凹部
４０  人の指
４１  障害物
４２  右手
４３  左手
４４  指
５０Ａ、５０Ｂ  青色ＬＥＤ
５１Ａ、５１Ｂ  近赤外ＬＥＤ
６０Ａ、６０Ｂ  発光ダイオード（ＬＥＤ）
１００  システムコントローラ
１０２  操作部
１０２ａ  レリーズスイッチ
１０３  ＬＥＤ駆動回路
１０４  駆動回路
１０８  情報報知部
１１０  シャッタ
１１２  固体撮像素子
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
２００  撮影レンズ
２０２  絞り
３００  メモリカード
【図１】
2016173385.tif 000003
【図２】
2016173385.tif 000004
【図３】
2016173385.tif 000005
【図４】
2016173385.tif 000006
【図５】
2016173385.tif 000007
【図６】
2016173385.tif 000008
【図７】
2016173385.tif 000009
【図８】
2016173385.tif 000010
【図９】
2016173385.tif 000011
【図１０】
2016173385.tif 000012
【図１１】
2016173385.tif 000013
【図１２】
2016173385.tif 000014
【図１３】
2016173385.tif 000015
【図１４】
2016173385.tif 000016
【図１５】
2016173385.tif 000017
【図１６】
2016173385.tif 000018
【図１７】
2016173385.tif 000019
【図１８】
2016173385.tif 000020